(57)【特許請求の範囲】
【請求項１】
液透過性のトップシートと、液透過性または液不透過性の中間シートと、これらの間に配された吸収性コアとを有する上層と；
前記上層の中間シート側に設けられ、液不透過性のバックシートと弾性部材とを有する下層とを有する吸収性物品であって；
前記上層は、長手方向に前方部と後方部とこれらの間の中間部とを有し、前記中間部において幅方向に３分割されることにより、中央部分とこの両側にサイド部分が形成され；
前記中央部分は、前記下層に接合され；
前記サイド部分は、幅方向の外方側が前記下層に接合され、幅方向の内方側が前記下層に接合されず；
前記弾性部材が、前記中央部分の吸収性コアの幅方向両側縁より外方、かつ、前記サイド部分が前記下層に接合されない部分に、長手方向に延びるように下層に配されていることを特徴とする吸収性物品。
【請求項２】
前記吸収性コアはパルプ繊維を含む請求項１に記載の吸収性物品。
【請求項３】
前記サイド部分は、幅方向の内方縁から１０ｍｍ以上の領域が、前記下層に接合しない請求項１または２に記載の吸収性物品。
【請求項４】
前記弾性部材は、前記中央部分の吸収性コアの幅方向両側縁から５ｍｍ以上離間して配されている請求項１〜３のいずれか一項に記載の吸収性物品。
【請求項５】
前記下層はさらに、前記中間シートと前記バックシートの間に配されたシート状吸収層を有し、
前記シート状吸収層は、不織布シート間に吸水性樹脂を有しパルプ繊維を有しない請求項１〜４のいずれか一項に記載の吸収性物品。
【請求項６】
前記シート状吸収層は、前記中央部分の吸収性コアより幅方向に広い請求項５に記載の吸収性物品。
【請求項７】
前記シート状吸収層は、不織布シート間に、吸水性樹脂が配された吸水性樹脂存在領域と、前記吸水性樹脂存在領域に隣接して長手方向に延在する吸水性樹脂非存在領域とを有し、
前記弾性部材は、前記吸水性樹脂非存在領域に配されている請求項５または６に記載の吸収性物品。
【請求項８】
前記シート状吸収層は、前記吸水性樹脂非存在領域で、前記不織布シートどうしが接合されている請求項７に記載の吸収性物品。
【請求項９】
前記サイド部分は、幅方向の内方縁に切欠きが形成されている請求項１〜８のいずれか一項に記載の吸収性物品。
【発明の詳細な説明】
【技術分野】
【０００１】
本発明は、尿パッド、使い捨ておむつ、生理用ナプキン等の吸収性物品に関するものである。
【背景技術】
【０００２】
従来、吸収性コアが幅方向に複数に分割され、この分割された吸収性コア片の間の隙間に弾性部材が長手方向に配された吸収性物品が知られている（特許文献１）。この吸収性物品は、吸収体片の隙間に配された弾性部材の収縮力により、着用者の股間部で吸収性物品のフィット性を高めている。
【先行技術文献】
【特許文献】
【０００３】
【特許文献１】特開２００２−１４３２１５号公報
【発明の概要】
【発明が解決しようとする課題】
【０００４】
しかし、特許文献１に開示される吸収性物品は、股間部で着用者の肌に対する密着性は高められるが、着用者の股間の幅に適合するように股間部での幅方向のフィット性を高めることは難しい。
【０００５】
本発明は前記事情に鑑みてなされたものであり、その目的は、着用者の股間の幅に合わせて幅狭に形成することができ、股間部付近での収まりが良好な吸収性物品を提供することにある。
【課題を解決するための手段】
【０００６】
前記課題を解決することができた本発明の吸収性物品とは、液透過性のトップシートと、液透過性または液不透過性の中間シートと、これらの間に配された吸収性コアとを有する上層と；上層の中間シート側に設けられ、液不透過性のバックシートと弾性部材とを有する下層とを有する吸収性物品であって；上層は、長手方向に前方部と後方部とこれらの間の中間部とを有し、中間部において幅方向に３分割されることにより、中央部分とこの両側にサイド部分が形成され；中央部分は、下層に接合され；サイド部分は、幅方向の外方側が下層に接合され、幅方向の内方側が下層に接合されず；弾性部材が、中央部分の吸収性コアの幅方向両側縁より外方、かつ、サイド部分が下層に接合されない部分に、長手方向に延びるように下層に配されているところに特徴を有する。
【０００７】
本発明の吸収性物品は、弾性部材の収縮力により中央部分の幅方向の外方の部分が持ち上げられやすくなり、その結果、上層のサイド部分が幅方向の内方にスライドして中間部の幅を狭くすることができる。そのため、吸収性物品は着用者の股間の幅に合わせて幅を狭くすることができ、吸収性物品の着用者の股間部付近での収まりが良好となる。
【０００８】
吸収性コアはパルプ繊維を含むことが好ましい。吸収性コアがパルプ繊維を含んでいれば、吸収性コアがある程度の厚みと剛性を有するようになるため、下層に弾性部材が設けられても、上層は吸収性コアが設けられた部分で折れ曲がりにくくなる。その結果、弾性部材の収縮力により、サイド部分が幅方向の内方にスライドして中央部分に重なりやすくなり、中間部を幅狭にすることが容易になる。
【０００９】
サイド部分は、幅方向の内方縁から１０ｍｍ以上の領域が下層に接合しないことが好ましい。このようにサイド部分の幅方向の内方側に下層に接合しない部分が形成されれば、サイド部分が幅方向にスライドして、中間部の幅を効果的に狭めることができる。
【００１０】
弾性部材は、中央部分の吸収性コアの幅方向両側縁から５ｍｍ以上離間して配されていることが好ましい。このように弾性部材が配されれば、サイド部分が幅方向にスライドして、中間部の幅を効果的に狭めることができる。
【００１１】
下層はさらに、中間シートとバックシートの間に配されたシート状吸収層を有してもよく、シート状吸収層は、不織布シート間に吸水性樹脂を有しパルプ繊維を有しないことが好ましい。シート状吸収層は不織布シート間に吸水性樹脂を有しパルプ繊維を有しないため、高い吸収容量を有するにも関わらず、薄型に形成することができる。従って、シート状吸収層が中央部分より幅広に設けられても、中央部分の幅方向の外方の部分が弾性部材の収縮力により容易に立ち上げられるようになる。
【００１２】
シート状吸収層は、中央部分の吸収性コアより幅方向に広いことが好ましい。このようにシート状吸収層が設けられれば、中央部分の幅方向の外方に移行した尿等がシート状吸収層により吸収され、尿等の吸収能力が向上する。
【００１３】
シート状吸収層は、不織布シート間に、吸水性樹脂が配された吸水性樹脂存在領域と、吸水性樹脂存在領域に隣接して長手方向に延在する吸水性樹脂非存在領域とを有し、下層に設けられる弾性部材が吸水性樹脂非存在領域に配されていることが好ましい。下層に設けられる弾性部材がシート状吸収層の吸水性樹脂非存在領域に配されていれば、弾性部材の収縮力が吸水性樹脂の存在により阻害されにくくなる。
【００１４】
シート状吸収層は、吸水性樹脂非存在領域で、不織布シートどうしが接合されていることが好ましい。このようにシート状吸収層が形成されていれば、シート状吸収層の吸水性樹脂が尿等を吸収して膨潤しても、不織布シートどうしが接合された封止部に吸水性樹脂が侵入しにくくなる。従って、弾性部材の収縮力が吸水性樹脂の存在により阻害されにくくなる。また、封止部では尿等が拡散しやすくなり、シート状吸収層により尿等が速やかに吸収されるようになる。
【００１５】
サイド部分は、幅方向の内方縁に切欠きが形成されていることが好ましい。この場合、切欠きが形成された部分でサイド部分どうしの間隔が広がるため、着用者から排泄された尿等は、より多くの量がサイド部分よりも中央部分に収容されるようになる。従って、尿等の横漏れが防止されやすくなる。
【発明の効果】
【００１６】
本発明の吸収性物品は、中間部で３分割された上層のサイド部分が幅方向の内方にスライドすることにより、吸収性物品を着用者の股間の幅に合わせて幅狭に形成することができ、吸収性物品の着用者の股間部付近での収まりが良好となる。
【図面の簡単な説明】
【００１７】
【図１】本発明の吸収性物品の一実施態様として、吸収性物品（尿パッド）を肌面側から見た平面図を表す。
【図２】図１に示した吸収性物品を外面側から見た平面図を表す。
【図３】図１に示した吸収性物品のＡ−Ａ断面の一例を表す。
【図４】図３に示した吸収性物品において、幅方向断面が幅狭に形成された状態を表す。
【図５】図１に示した吸収性物品の変形例を表す。
【図６】図１に示した吸収性物品のＡ−Ａ断面の他の一例を表す。
【発明を実施するための形態】
【００１８】
本発明の吸収性物品について、図面を参照して説明する。なお、本発明は、図面に示された実施態様に限定されるものではない。図１は、本発明の吸収性物品として尿パッドを一方面側から見た平面図を表す。図１は、尿パッドを着用した際の着用者の肌に面する側（肌面側）を表している。図２は、図１の尿パッドを他方面側から見た平面図を表す。図２は、尿パッドを着用した際の着用者とは反対側（外面側）を表す。図３は、図１のＡ−Ａ断面の一例を表す。図４は、図３に示した吸収性物品において、幅方向断面が幅狭に形成された状態を表す。
【００１９】
本願の図では、矢印ｘが幅方向、矢印ｙが長手方向を表し、矢印ｘ，ｙにより形成される面に対して垂直方向が上下方向ｚを表す。長手方向とは、吸収性物品を着用者が着用した際、着用者の股間の前後方向に延びる方向を意味する。幅方向とは、吸収性物品を平面に広げた状態で吸収性物品と同一面上にあり、長手方向と直交する方向を意味する。上側とは、吸収性物品を着用した際の着用者側を意味し、下側とは、吸収性物品を着用した際の着用者とは反対側、すなわち外側を意味する。
【００２０】
吸収性物品１は、トップシート３と中間シート４とこれらの間に配された吸収性コア５とを有する上層２と、上層２の中間シート４側に設けられ、バックシート１２と弾性部材１３とを有する下層１１を有する（図３）。吸収性物品１は、上層２が長手方向ｙの中間部Ｍで幅方向ｘに３分割されて中央部分Ｃとこの両側にサイド部分Ｓが形成され、中央部分Ｃが下層１１に接合され、サイド部分Ｓは幅方向ｘの外方側が下層１１に接合され、幅方向ｘの内方側が下層１１に接合されない（図１，図３）。そして下層１１には、弾性部材１３が、中央部分Ｃの吸収性コア５の幅方向ｘの両側縁より外方、かつ、サイド部分Ｓが下層１１に接合されない部分に、長手方向ｙに延びるように配されている（図２，図３）。吸収性物品１は、このように中間部Ｍの一部が下層１１に接合され、下層１１に弾性部材１３が設けられるため、弾性部材１３の収縮力により、図４に示すように、中央部分Ｃの幅方向ｘの外方の部分が持ち上げられるように作用を受ける。その結果、サイド部分Ｓが幅方向ｘの内方にスライドして、中間部Ｍの幅（幅方向ｘの長さ）を狭くすることができる。つまり、吸収性物品１は、着用者の股間の幅に合わせて幅を狭くすることができ、吸収性物品１の着用者の股間部付近での収まりが良好となる。以下、吸収性物品１について詳しく説明する。
【００２１】
上層２は、液透過性のトップシート３と、液透過性または液不透過性の中間シート４と、これらの間に配された吸収性コア５を有し、長手方向ｙの中間部Ｍが幅方向ｘに３分割されている。詳細には、上層２は長手方向ｙに前方部Ｆと後方部Ｂとこれらの間の中間部Ｍとを有し、中間部Ｍにおいて幅方向ｘに３分割されることにより、中央部分Ｃとその両側にサイド部分Ｓが形成されている。
【００２２】
上層２は、少なくとも中間部Ｍで幅方向ｘに３分割されればよく、長手方向ｙの全体が幅方向ｘに３分割されてもよい。しかし、吸収性物品１の長手方向ｙの漏れ防止効果を高める点から、上層２は中間部Ｍで幅方向ｘに３分割され、前方部Ｆと後方部Ｂで幅方向ｘに分割されないことが好ましい。中央部分Ｃとサイド部分Ｓの間に形成されるスリット（隙間）６では尿等が長手方向ｙに拡散しやすくなるが、上層２が前方部Ｆと後方部Ｂで幅方向ｘに分割されていなければ、長手方向ｙに拡散した尿等が前方部Ｆまたは後方部Ｂを越えて長手方向ｙの外方に移動するのが防止され、尿等が長手方向ｙに漏れにくくなる。
【００２３】
中間部Ｍとは、上層２が長手方向ｙの一部で３分割される場合、上層２が幅方向ｘに３分割される部分に相当する。このとき、中間部Ｍの長さ（長手方向ｙに対する長さ）は、上層２の長さの１５％以上が好ましく、２５％以上がより好ましく、８０％以下が好ましく、７０％以下がより好ましい。中間部Ｍの長さが上層２の長さの１５％以上であれば、サイド部分Ｓが幅方向ｘの内方にスライドして、中間部Ｍの幅を効果的に狭めることができる。中間部Ｍの長さが上層２の長さの８０％以下であれば、前方部Ｆと後方部Ｂでの尿等の吸収能力が高められ、尿等が長手方向ｙに漏れにくくなる。なお、前記説明した中間部Ｍの好ましい範囲は、吸収性物品１に配された弾性部材を伸張させて吸収性物品１を完全に広げた状態に基づく。
【００２４】
中央部分Ｃとサイド部分Ｓの間に形成されるスリット６の形状は特に限定されず、例えば、長手方向ｙに延びる直線状や、長手方向ｙに延びる曲線状が挙げられる。図１，図２では、スリット６は長手方向ｙに延びる直線状で設けられている。
【００２５】
スリット６はまた、幅方向ｘの内方に膨らんだ形状であることも好ましい。この場合、スリット６は幅方向ｘの内方に湾曲する曲線状でもよく、幅方向ｘの内方に出っ張った直線状でもよい。後者の場合、スリット６の形状としては、三角形の一辺が欠けた形状や、台形の底辺が欠けた形状等が挙げられる。スリット６が幅方向ｘの内方に膨らんだ形状で形成されていれば、サイド部分Ｓが幅方向ｘの内方にスライドしやすくなる。
【００２６】
スリット６は、図５に示すように、サイド部分Ｓの幅方向ｘの内方縁に切欠き７が形成されていることも好ましい。サイド部分Ｓの幅方向ｘの内方縁に切欠き７が形成されれば、切欠き７が形成された部分でサイド部分Ｓどうしの間隔が広がる。従って、サイド部分Ｓが幅方向ｘの内方にスライドしても、切欠き７が形成された部分では、着用者から排泄された尿等は、より多くの量がサイド部分Ｓよりも中央部分Ｃに収容され、尿等の横漏れが防止されやすくなる。なお、切欠き７は着用者の排尿部が当てられる付近に形成されることが好ましい。
【００２７】
スリット６は、上層２の幅方向ｘの中心線（長手方向ｙに延びる中心線）に対し、略左右対称に形成されていることが好ましい。このようにスリット６が形成されれば、上層２の幅方向ｘの中心線上には中央部分Ｃが存在することとなる。従って、着用者の排尿部には中央部分Ｃが面して、着用者から排泄された尿等が速やかに吸収されやすくなる。
【００２８】
上層２の中間シート４側には下層１１が設けられる（図３）。すなわち、下層１１は上層２の下側に設けられる。下層１１は、少なくともバックシート１２と弾性部材１３を有し、例えば、後述するようにシート状吸収層１４をさらに有してもよい。
【００２９】
上層２は、一部が下層１１に接合され他部が下層１１に接合されない。上層２は、下層１１を構成するいずれの部材に接合されてもよい。上層２は、例えばバックシート１２に接合されたり、後述するシート状吸収層１４に接合されてもよい。
【００３０】
下層１１は、上層２を構成するいずれの部材に接合されてもよく、例えば、トップシート３に接合されても、中間シート４に接合されてもよい。図３では、下層１１は中間シート４に接合されているが、サイド部分Ｓでは、例えばトップシート３が中間シート４よりも幅広な場合は、下層１１はトップシート３に接合されたり、あるいはトップシート３と中間シート４に跨って接合され得る。
【００３１】
上層２は、中間部Ｍの中央部分Ｃが下層１１に接合されるとともに、中間部Ｍのサイド部分Ｓの幅方向ｘの外方側が下層１１に接合される。しかし、サイド部分Ｓの幅方向ｘの内方側は下層１１に接合されない。このとき、サイド部分Ｓの幅方向ｘの内方側はいずれの部材にも接合されない。その結果、上層２は、サイド部分Ｓの内方側が下層１１に対しスライド可能となる。図３では、中央部分Ｃは接合部１７で下層１１に接合され、サイド部分Ｓは接合部１８で下層１１に接合されている。なお、上層２の前方部Ｆと後方部Ｂは、下層１１に接合されることが好ましい。
【００３２】
吸収性物品１は、サイド部分Ｓの幅方向ｘの外方側が下層１１に接合され、幅方向ｘの内方側が下層１１に接合されないため、中央部分Ｃの幅方向ｘの外方では、上層２と下層１１との間に隙間が形成されやすくなり、この隙間を利用して尿等が長手方向ｙに拡散しやすくなる。従って、吸収性物品１は尿等を速やかに吸収することが可能になる。
【００３３】
中央部分Ｃは、吸収性コア５が存在する領域で下層１１に接合されることが好ましい。さらに、中央部分Ｃと下層１１を接合する接合部１７は、吸収性コア５の幅方向ｘの両側縁から１５ｍｍ以内の領域（より好ましくは７ｍｍ以内の領域）にあることが好ましい。このように中央部分Ｃが下層１１に接合されれば、弾性部材１３の収縮力により、中央部分Ｃの吸収性コア５の幅方向ｘの両側縁を起点として、それより外方の上層２の部分が持ち上げられやすくなる。
【００３４】
サイド部分Ｓの外方側は、吸収性コア５が存在する領域で下層１１に接合されることが好ましい。このようにサイド部分Ｓが下層１１に接合されれば、弾性部材１３の収縮力により、サイド部分Ｓが幅方向ｘの内方にスライドしやすくなる。図３では、サイド部分Ｓは、吸収性コア５が存在する領域で、接合部１８で下層１１に接合されている。
【００３５】
サイド部分Ｓの内方側は、中間部Ｍの長手方向ｙの一部または全部の領域で下層１１に接合されればよい。サイド部分Ｓの内方側の下層１１に接合されない部分は、サイド部分Ｓから前方部Ｆおよび／または後方部Ｂに延在してもよい。サイド部分Ｓの内方側の下層１１に接合されない部分は、長手方向ｙに対し、中間部Ｍの５０％以上にわたって設けられることが好ましく、６５％以上にわたって設けられることがより好ましい。このようにサイド部分Ｓの内方側に下層１１に接合されない部分が設けられれば、サイド部分Ｓの内方側が幅方向ｘの内方にスライドして、中間部Ｍの幅を効果的に狭めることができる。なお、前記説明したサイド部分Ｓの内方側の下層１１に接合されない部分の好ましい範囲は、吸収性物品１に配された弾性部材を伸張させて吸収性物品１を完全に広げた状態に基づく。
【００３６】
サイド部分Ｓは、幅方向ｘの内方縁から１０ｍｍ以上の領域が下層１１に接合しないことが好ましい。すなわち、サイド部分Ｓは、幅方向ｘの内方縁から１０ｍｍ以上にわたって下層１１に接合しない部分が存在することが好ましい。このようにサイド部分Ｓの幅方向ｘの内方側に下層１１に接合しない部分が形成されれば、サイド部分Ｓが幅方向ｘの内方にスライドして、中間部Ｍの幅を効果的に狭めることが可能となる。より好ましくは、サイド部分Ｓは、幅方向ｘの内方縁から２０ｍｍ以上の領域が下層１１に接合せず、さらに好ましくは、幅方向ｘの内方縁から３０ｍｍ以上の領域が下層１１に接合しない。
【００３７】
下層１１には、中央部分Ｃの吸収性コア５の幅方向ｘの両側縁より外方、かつ、サイド部分Ｓが下層１１に接合されない部分に、長手方向ｙに延びる弾性部材１３が配される。中央部分Ｃの吸収性コア５より幅方向ｘの外方に設けられた弾性部材１３は、図４に示すように、中央部分Ｃの吸収性コア５の幅方向ｘの両側縁を起点として、それより外方の上層２の部分を持ち上げるように作用する。その結果、サイド部分Ｓを幅方向ｘの内方にスライドさせて、中間部Ｍの幅（幅方向ｘの長さ）を狭くすることができる。そのため、吸収性物品１は、着用者の股間の幅に合わせて幅を狭くすることができ、吸収性物品１の着用者の股間部付近での収まりが良好となる。
【００３８】
例えば、弾性部材１３の全部が、サイド部分Ｓが下層１１に接合される部分（すなわち図３における接合部１８）に配されると、弾性部材１３は、中央部分Ｃの幅方向ｘの外方のサイド部分Ｓが下層１１に接合されない部分とともに、サイド部分Ｓも上方に持ち上げるように作用するため、サイド部分Ｓが幅方向ｘの内方にスライドしにくくなる。つまり、弾性部材１３が、サイド部分Ｓが下層１１に接合されない部分に設けられれば、弾性部材１３の収縮力によりサイド部分Ｓを幅方向ｘの内方にスライドさせて、中間部Ｍの幅を狭くしやすくできる。なお、弾性部材１３は、少なくとも一部が、サイド部分Ｓが下層１１に接合されない部分に設けられればよい。
【００３９】
弾性部材１３は、サイド部分Ｓが下層１１に重なる部分に設けられることが好ましい。このように弾性部材１３が設けられれば、弾性部材１３はサイド部分Ｓを上方に持ち上げつつ、中央部分Ｃの幅方向ｘの外方の部分を立ち上げるように作用するため、サイド部分Ｓが幅方向ｘの内方にスライドしやすくなる。
【００４０】
弾性部材１３は、中央部分Ｃの吸収性コア５の幅方向ｘの両側縁より５ｍｍ以上離間して配されることが好ましく、１０ｍｍ以上離間して配されることがより好ましく、１５ｍｍ以上離間して配されることがさらに好ましい。弾性部材１３が中央部分Ｃの吸収性コア５の幅方向ｘの両側縁より５ｍｍ以上離間して配されれば、サイド部分Ｓが幅方向ｘにスライドすることにより、中間部Ｍの幅を効果的に狭めることができる。
【００４１】
弾性部材１３は、長手方向ｙに対し、中間部Ｍの４０％以上にわたって設けられることが好ましく、５０％以上にわたって設けられることがより好ましい。弾性部材１３が中間部Ｍの４０％以上にわたって設けられれば、弾性部材１３の収縮力により中央部分Ｃの幅方向ｘの外方の部分を立ち上げて、サイド部分Ｓを幅方向ｘの内方にスライドさせやすくなる。なお、弾性部材１３は、中間部Ｍから前方部Ｆおよび／または後方部Ｂに延在してもよい。
【００４２】
弾性部材１３は下層１１に設けられる限り、下層１１を構成するいずれの部材に固定されてもよい。弾性部材１３はバックシート１２に設けられてもよいし、後述するようにシート状吸収層１４に設けられてもよい。弾性部材１３がバックシート１２に設けられる場合、弾性部材１３は、バックシート１２の上面に設けられてもよいし、下面に設けられてもよい。バックシート１２が２以上のシート部材から構成される場合、弾性部材１３はバックシート１２を構成するシート部材間に設けられてもよい。
【００４３】
弾性部材１３としては、ポリウレタン糸、ポリウレタンフィルム、天然ゴム等の通常の吸収性物品に用いられる弾性伸縮材料が用いることができる。弾性部材１３は、伸張状態で、ホットメルト接着剤で固定されることが好ましい。例えば、繊度１００〜２，５００ｄｔｅｘのポリウレタン糸を、倍率１．１〜５．０倍に伸張して配設し、固定する。接合手段としては、ゴム系のホットメルト接着剤を用いることが好ましい。
【００４４】
吸収性物品１の上面には、図３に示すように、幅方向ｘの両側に一対の立ち上がりフラップ２１が備えられることが好ましい。立ち上がりフラップ２１が備えられることにより、尿等の排泄物の横漏れを防ぐことができる。立ち上がりフラップ２１は、図３に示すように、上層２のサイド部分Ｓに液不透過性のシートを接合し、このシートの幅方向ｘの内方端に弾性部材２２を設けることにより形成されることが好ましい。このように立ち上がりフラップ２１を設けることにより、吸収性物品１を着用した際、立ち上がりフラップ２１が弾性部材２２の収縮力により上方に立ち上がり、防漏壁が形成される。立ち上がりフラップ２１を構成する液不透過性のシートとしては、液不透過性のプラスチックフィルムや液不透過性の不織布等を採用すればよい。
【００４５】
立ち上がりフラップ２１は、上方に立ち上がる部分の基部に、弾性部材２３が設けられることが好ましい。立ち上がりフラップ２１の基部に弾性部材２３が設けられることにより、弾性部材２３が設けられた部分でサイド部分Ｓが着用者側に持ち上げられるとともに、サイド部分Ｓが長手方向ｙに対し湾曲するようになる。その結果、サイド部分Ｓの着用者へのフィット性が高まる。
【００４６】
吸収性物品１を構成する各部材の材料について、説明する。
【００４７】
トップシート３は液透過性であれば、その材料は特に限定されない。吸収性物品１は、着用時、トップシート３が着用者の肌に面するように配され、着用者から排泄された尿等がトップシート３を通って吸収性コア５に吸収される。
【００４８】
中間シート４は、液透過性であっても液不透過性であってもよい。吸収性物品１は、中間シート４の下側に液不透過性のバックシート１２が配されるため、中間シート４は液透過性であっても液不透過性であってもよい。
【００４９】
バックシート１２は液不透過性であれば、その材料は特に限定されない。バックシート１２は、吸収性物品１に収容された排泄物が外部へ漏れるのを防ぐ。
【００５０】
トップシート３や中間シート４に使用可能な液透過性のシートとしては、例えば、セルロース、レーヨン、コットン等の親水性繊維から形成された不織布や；ポリプロピレン、ポリエチレン、ポリエステル、ポリアミド、ナイロン等の疎水性繊維から形成された不織布であって、疎水性繊維の表面が界面活性剤により親水化されたもの等が挙げられる。また、液透過性のシートとして、織布、編布、孔が形成されたプラスチックフィルムを用いてもよい。
【００５１】
バックシート１２や中間シート４に使用可能な液不透過性のシートとしては、例えば、ポリプロピレン、ポリエチレン、ポリエステル、ポリアミド、ナイロン等の疎水性繊維から形成された不織布や、プラスチックフィルム等が挙げられる。また、液不透過性のシートとして、不織布とプラスチックフィルムとの積層体を用いてもよい。
【００５２】
トップシート３や中間シート４やバックシート１２として不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００５３】
吸収性コア５は、尿等の排泄物を吸収できるものであれば特に限定されない。吸収性コア５としては、例えば、吸収性材料を所定形状に成形した成形体を用いたり、吸収性材料を紙シート（例えば、ティッシュペーパー）や液透過性不織布等の被覆シートで覆ったものを用いることができる。吸収性コア５に含まれる吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、吸収性コアの保形性を高めるために、ポリエチレン、ポリプロピレン等のポリオレフィン繊維や、ＰＥＴ等のポリエステル繊維、ポリアミド繊維等の熱融着性繊維が含まれてもよい。熱融着性繊維はまた、尿等の体液との親和性を高めるために、界面活性剤等により親水化処理がされていてもよい。なお、熱融着性繊維とは、熱可塑性樹脂からなる繊維を意味する。
【００５４】
吸収性コア５はパルプ繊維を含むことが好ましい。吸収性コア５がパルプ繊維を含んでいれば、吸収性コア５がある程度の厚みと剛性を有するようになるため、下層１１に弾性部材１３が設けられても、上層２は吸収性コア５が設けられた部分で折れ曲がりにくくなる。その結果、弾性部材１３の収縮力により、サイド部分Ｓが幅方向ｘの内方にスライドして中央部分Ｃに重なりやすくなり、中間部Ｍを幅狭にすることが容易になる。
【００５５】
吸収性コア５に含まれるパルプ繊維としては、解繊パルプ繊維が好ましく用いられる。また、解繊パルプ繊維は、繊維塊として用いられることが好ましい。
【００５６】
吸収性コア５の目付は、８０ｇ／ｍ2以上が好ましく、１００ｇ／ｍ2以上がより好ましく、また２００ｇ／ｍ2以下が好ましく、１８０ｇ／ｍ2以下がより好ましい。吸収性コア５の目付が８０ｇ／ｍ2以上であれば、吸収性コア５が十分な剛性を有しやすくなる。従って、上層２は吸収性コア５が設けられた部分で折れ曲がりにくくなり、中間部Ｍが幅方向ｘにスライドしやすくなる。吸収性コア５の目付が２００ｇ／ｍ2以下であれば、吸収性物品１の全体が厚くなり過ぎず、吸収性物品１の装着感が向上する。
【００５７】
吸収性コア５の外縁形状は特に限定されない。吸収性コア５の外縁形状としては、例えば、略長方形、砂時計型、ひょうたん型、羽子板型等が挙げられる。
【００５８】
次に、本発明の吸収性物品の別の実施態様について図６を参照して説明する。図６は、図１に示した吸収性物品１のＡ−Ａ断面の他の一例を表す。図６に示した吸収性物品は、下層１１にシート状吸収層１４が設けられ、弾性部材１３がシート状吸収層１４に設けられる以外は、図１〜図４に示した吸収性物品と同じである。従って、下記の説明において、図１〜図４の実施態様と重複する部分の説明は省略する。
【００５９】
下層１１は、中間シート４とバックシート１２の間に配されたシート状吸収層１４を有してもよい。なおシート状吸収層１４は、不織布シート１６，１６間に吸水性樹脂１５を有しパルプ繊維を有しない。シート状吸収層１４は不織布シート１６，１６間に吸水性樹脂１５を有するため、高い吸収容量を実現できる。従って、下層１１にシート状吸収層１４を設けることにより、下層１１の吸収容量を高めることができる。また、シート状吸収層１４は不織布シート１６，１６間にパルプ繊維を有しないため、嵩張らず薄型に形成することができる。従って、シート状吸収層１４は厚みを薄くして柔軟に形成することができ、シート状吸収層１４が例えば中央部分Ｃより幅方向ｘに広く設けられても、中央部分Ｃの幅方向ｘの外方の部分を弾性部材１３の収縮力により立ち上げることが容易になる。
【００６０】
シート状吸収層１４に設けられる吸水性樹脂１５としては、吸収性コア５に使用可能な吸水性樹脂を用いればよく、高い吸収容量を有する点で、ポリアクリル酸ナトリウム等のポリアクリル酸系の吸水性樹脂を用いることが好ましい。
【００６１】
シート状吸収層１４に用いられる不織布シート１６は液透過性であり、そのような不織布シートとしては、例えば、セルロース、レーヨン、コットン等の親水性繊維；ポリプロピレン、ポリエチレン、ポリエステル、ポリアミド等の疎水性繊維を界面活性剤で親水化したものを用いればよい。
【００６２】
シート状吸収層１４は、図６に示すように、上側の第１不織布シートと下側の第２不織布シートとからなる２枚の不織布シートの間に吸水性樹脂が配されてもよい。この場合、第１不織布シートと第２不織布シートは、各々１枚の不織布シートから構成されてもよく、２枚以上の不織布シートが重ねられて構成されてもよい。また、第１不織布シートと第２不織布シートとが、１枚の不織布シートが折り目で折り返されて、折り目を挟んで一方側を第１不織布シートとして、他方側を第２不織布シートとしてもよい。この場合、１枚の不織布シートが折り返された内側に吸収性樹脂が配される。
【００６３】
シート状吸収層１４は、中央部分Ｃの幅方向ｘの外方に少なくとも配されることが好ましい。中央部分Ｃの幅方向ｘの外方では上層２と下層１１との間に隙間が形成されやすく、当該部分で尿等が吸収性コア５により吸収されにくくなるおそれがある。従って、中央部分Ｃの幅方向ｘの外方にシート状吸収層１４が設けられれば、中央部分Ｃの幅方向ｘの外方でシート状吸収層１４によって尿等が吸収されて、尿等の吸収能力が向上する。製造容易性の点からは、シート状吸収層１４は中央部分Ｃの下側に、中央部分Ｃよりも幅方向ｘに広く設けられることが好ましい。
【００６４】
下層１１がシート状吸収層１４を有する場合、弾性部材１３は、バックシート１２に固定されても、シート状吸収層１４に固定されてもよい。しかし、シート状吸収層１４が中央部分Ｃの幅方向ｘの外方に配される場合は、弾性部材１３がシート状吸収層１４に設けられることが好ましい。シート状吸収層１４はバックシート１２よりも剛性が高くなるのが一般的であり、シート状吸収層１４に弾性部材１３が設けられれば、弾性部材１３の収縮力がシート状吸収層１４に直接作用し、中央部分Ｃの幅方向ｘの外方の部分が立ち上がりやすくなる。その結果、サイド部分Ｓが幅方向ｘの内方にスライドしやすくなる。
【００６５】
シート状吸収層１４に弾性部材１３が設けられる場合、シート状吸収層１４は、不織布シート１６，１６間に、吸水性樹脂１５が配された吸水性樹脂存在領域と、吸水性樹脂存在領域に隣接して長手方向ｙに延在する吸水性樹脂非存在領域とを有し、弾性部材１３が吸水性樹脂非存在領域に配されることが好ましい。弾性部材１３がシート状吸収層１４の吸水性樹脂非存在領域に配されていれば、弾性部材１３の収縮力が吸水性樹脂１５の存在により阻害されにくくなる。
【００６６】
吸水性樹脂存在領域と吸水性樹脂非存在領域は、シート状吸収層１４の長手方向ｙの長さとほぼ等しい長さを有する略長方形状で設けられることが好ましい。このように吸水性樹脂存在領域と吸水性樹脂非存在領域が設けられれば、シート状吸収層１４に移行した尿等が長手方向ｙに拡散しやすくなり、尿等がシート状吸収層１４によって速やかに吸収されるようになる。また、吸水性樹脂を所定幅で一方向に連続的に散布することにより吸水性樹脂存在領域と吸水性樹脂非存在領域を形成することができるので、シート状吸収層１４の製造が容易になる。
【００６７】
シート状吸収層１４は、吸水性樹脂非存在領域で、不織布シート１６，１６どうしが接合されることが好ましい。このようにシート状吸収層１４が形成されれば、シート状吸収層１４の吸水性樹脂１５が尿等を吸収して膨潤しても、不織布シート１６，１６どうしが接合された封止部に吸水性樹脂１５が侵入しにくくなる。従って、弾性部材１３の収縮力が吸水性樹脂１５の存在により阻害されにくくなる。また、封止部では尿等が拡散しやすくなり、シート状吸収層１４により尿等が速やかに吸収されるようになる。
【００６８】
封止部は、シート状吸収層１４が吸水しても、不織布シート１６，１６どうしの接合が維持されることが好ましい。従って、不織布シート１６，１６どうしは、ゴム系接着剤やスチレン系エラストマーで接着することが好ましい。このような接着剤を用いれば、吸水性樹脂１５が吸水して膨潤しても、不織布シート１６，１６どうしの接合が維持されやすくなる。ゴム系接着剤としては、例えば、天然ゴム系、ブチルゴム系、ポリイソプレン等の接着剤が挙げられ、スチレン系エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等が挙げられる。
【００６９】
上記では、本発明の吸収性物品を尿パッドに適用する場合について説明したが、本発明の吸収性物品は尿パッドに限定されず、使い捨ておむつや生理用ナプキン等にも適用できる。もちろん、吸収性物品を尿パッドに適用する場合も、図面に示した実施態様に限定されない。吸収性物品が使い捨ておむつである場合、使い捨ておむつは、左右に一対の止着部材が設けられ、当該止着部材により着用時にパンツ型に形成するオープン型使い捨ておむつであってもよく、ウェスト開口部と一対の脚開口部とが形成されたパンツ型使い捨ておむつであってもよい。
【符号の説明】
【００７０】
１：  吸収性物品（尿パッド）
２：  上層
３：  トップシート
４：  中間シート
５：  吸収性コア
１１：  下層
１２：  バックシート
１３：  弾性部材
Ｆ：  前方部
Ｍ：  中間部
Ｂ：  後方部
Ｃ：  中央部分
Ｓ：  サイド部分
【図１】
0005474682.tif 000002
【図２】
0005474682.tif 000003
【図３】
0005474682.tif 000004
【図４】
0005474682.tif 000005
【図５】
0005474682.tif 000006
【図６】
0005474682.tif 000007